(57)【要約】【課題】窓の外方にあって、窓に近接している大気部分の温度を、水の気化潜熱で下げるようにして、人為的な強制冷房に伴うエネルギー消費を避け、温度の下げられた大気による自然な建物内の空間をつくりだすことができる。【解決手段】建築物Ｂにおける窓Ｂａの外方に、当該窓Ｂａに近接して貯水可能に水管１０を配設してあり、しかも、この水管１０を、当該水管１０内の水が、当該水管１０の外面側に滲み出す水管１０として構成してある。【選択図】図１
2008202280.tif 000002
【特許請求の範囲】
【請求項１】
建築物における窓の外方に、当該窓に近接して貯水可能に水管を配設してあり、
この水管を、当該水管内の水が、当該水管の外面側に滲み出す水管としてあることを特徴とする窓構造。
【請求項２】
前記水管が、一連に連通し、かつ、下端側に水栓を備える格子状体としてあることを特徴とする請求項１に記載の窓構造。
【請求項３】
前記水管が、雨樋に受けられた雨水を受け入れ得るようにしてあると共に、当該水管で受け入れられずに貯水槽に蓄えられた雨水を揚水して受け入れ得るようにしてあることを特徴とする請求項１、請求項２又は請求項３に記載の窓構造。
【発明の詳細な説明】
【技術分野】
【０００１】
この発明は、より自然な涼風を室内側に受け入れ得るようにした大気による自然換気に都合のよい窓構造の提供に関する。
【背景技術】
【０００２】
夏場、庭や小路等に打ち水をすることで涼風を室内に取り込む工夫がなされており、冷房システムによる冷風と異なって、より自然な生活空間を作り出すようにしていた。
【０００３】
また、かかる打ち水による建物周囲の地熱の除去によって涼風を得る手法、動力源を有しておらず、エネルギー消費がなく、また、環境汚損を生ずる不具合もない。
【０００４】
夜間にシャッターを降ろした状態で涼風を得る工夫として、シャッターの水切り板下を２０ｃｍ程空くように、ラッチ穴を付けれたり、シャッター上方部に、開口部付スラットを備え付けて、その開口部から涼風を取り入れるようにした涼風シャッターが提案されている（例えば、特許文献１）。
【０００５】
また、ビルディングの壁面に、保持波板により、壁面との間に隙間を設けて、保水性に富む保水コンクリートからなる保水パネルが複数枚設置され、その保持部材は、互いに対向する山部と谷部の一方に保水パネルが固定され、他方が建造物の外面に固定される波板等として、保水パネルには、適宜間隔で給水口が形成された給水配管を用いて給水することで、太陽熱による建造物の温度上昇を抑制する提案がある（例えば、特許文献２）。
【０００６】
【特許文献１】特開２００６−１１２２２１公開公報
【特許文献２】特開２００４−１２４５７４公開公報
【発明の開示】
【発明が解決しようとする課題】
【０００７】
しかしながら、窓の前方位置に、打ち水と同様に機能する条件を設け、打ち水に類似の、より自然な涼風を得る手段は無かった。
【０００８】
この発明は、冷房機を用いた強制冷房における不自然さがなく、しかも、冷房に伴う消費エネルギーの殆ど無い条件下で涼風を得ることのできる窓構造を提供しようとするものである。
【課題を解決するための手段】
【０００９】
この発明は、前記課題を解決するために、建築物における窓の外方に、当該窓に近接して貯水可能に水管を配設してあり、
この水管を、当該水管内の水が、当該水管の外面側に滲み出す水管としてあることを特徴とする窓構造としてある。
【００１０】
このように構成される窓構造にあっては、窓の外方に配置されている水管を貯水状態とすることで、当該水管の外周面に水が滲み出され、この滲み出された水の気化潜熱によって、窓に近接して備えられている当該水管周辺の温度を下げることができ、この温度の下げられた外気を屋内側に取り入れることで、建築物内を、大気による快適な状態にすることができる。
【００１１】
また、前記構成に係る窓構造にあって、前記水管が、一連に連通し、かつ、下端側に水栓を備える格子状体としてあることを特徴とする窓構造では、窓の外方に、格子状体を備え付けることで、水管を、容易に、一定の密度で、かつ、一定の面的広がりで配設することができる。
【００１２】
また、前記構成に係る窓構造にあって、前記水管が、雨樋に受けられた雨水を受け入れ得るようにしてあると共に、当該水管で受け入れられずに貯水槽に蓄えられた雨水を揚水して受け入れ得るようにしてあることを特徴とする窓構造では、雨水を効率よく利用することができる。
【発明の効果】
【００１３】
窓の外方にあって、窓に近接している大気部分の温度を、水の気化潜熱で下げるようにして、人為的な強制冷房に伴うエネルギー消費を避け、温度の下げられた大気による自然な建物内の空間をつくりだすことができる。
【発明を実施するための最良の形態】
【００１４】
以下、図１〜図５にもとづいて、この発明を実施するための最良の形態に係る窓構造について説明する。
【００１５】
なお、ここで図１は当該発明を実施するための最良の形態に係る典型的な窓構造Ａを屋外側から見て、図２では、縦向きに断面して、図３では、その要部を縦向きに拡大断面して、さらに、図４では、当該窓構造Ａの水管１０に水を供給するシステムを、その典型的な要部部品と共に模式的に示しており、図５では、この水管１０の取り付け要部を建築物Ｂ側から見て示している。
【００１６】
この発明を実施するための最良の形態に係る窓構造Ａは、建築物Ｂにおける窓Ｂａの外方に、当該窓Ｂａに近接して貯水可能に水管１０を配設してあり、しかも、この水管１０を、当該水管１０内の水が、当該水管１０の外面側に滲み出す水管１０として構成してある。
【００１７】
かかる窓構造Ａの備えられる建築物Ｂは、窓Ｂａを備える建築物であれば、いかなる建築物であってもよく、一般的な戸建て住宅、集合住宅等の住宅、各種の施設等の、いかなる形態の建築物であってもよい。
【００１８】
また、窓Ｂａの外方に配設される水管１０は、少なくとも一つの窓Ｂａの外方を含むように備えられておればよく、同時に複数の窓Ｂａの外方を含むように備えてあっても、また、窓Ｂａと当該窓Ｂａに連続する壁を含むように備えてあってもよい。
【００１９】
また、ここで用いられる水管１０は、水を案内でき、かつ、貯水し得るものであって、この内部に貯水されている水を外面側に滲み出し得るものであれば、いかなる素材によって構成してあっても、また、いかなる形状に構成してあっても、また、いかなる構造に構成してあってもよい。
【００２０】
例えば、一本の水管１０を順次に屈曲させて並列状態、渦巻き状態、格子状態にして配設するようにしてあっても、複数本の水管を併設状態、渦巻き状態、格子状態にして配設するようにしてあってもよく、また、格子状、渦巻き状等の適宜の形状に構成された水管を複数組用意し、これらを重ね合わせ状態にして配設する等、いかなる形態に配設してあってもよい。
【００２１】
例えば、当該水管１０を断面形状が円形状の管、角形状の管、楕円形状の管、扁平形状の管等、いかなる形状の管であってもよい。
【００２２】
例えば、当該水管１０は、当該水管１０を貯水状態とすることができ、しかも、この貯水を当該水管１０の外面側に滲み出させ得るものであれば、単一又は複数素材によって構成してあっても、複合素材によって構成してあってもよい。また、単一層で構成してあっても、複数層で構成してあっても、さらに、塗膜や皮膜を備える構成としてあってもよい。例えば、水管１０内に貯水能力を備えると共に、この水管１０内の貯水を当該水管１０の外面側に滲みださせる多孔質のセラミックス製管、比較的透水性の高い素材からなる管の外周面に、水を滲みださせる皮膜、塗膜を設けた管等適宜の管で構成することができる。また、例えば、この水管１０の外面側に滲み出される水が気化に都合のよいように、当該水管１０の外面側に滲み拡がるように、当該外面を毛細管現象を生じ易い粗面に構成しておいてもよい。
【００２３】
このように構成される窓構造Ａにあっては、窓Ｂａの外方に配置されている水管１０を貯水状態とすることで、当該水管１０の外周面に水が滲み出され、この滲み出された水の気化潜熱によって、窓Ｂａに近接して備えられている当該水管１０周辺の温度を下げることができ、この温度の下げられた外気を屋内側に取り入れることで、建築物Ｂ内を、大気による快適な状態にすることができる。
【００２４】
また、前記構成に係る窓構造Ａにあって、前記水管１０が、一連に連通し、かつ、下端側に水栓３６を備える格子状体２０とした窓構造Ａでは、窓Ｂａの外方に、格子状体２０を備え付けることで、水管１０を、容易に、一定の密度で、かつ、一定の面的広がりで配設することができる。
【００２５】
かかる水管１０によって構成される格子状体２０は、例えば、井桁格子、縦格子、横格子等の適宜の一枚又は複数枚一組の格子状体２０としてあり、いかなる態様に構成してあってもよく、例えば、縦格子と横格子とを重ね合わせ状態に連結して井桁格子状体を構成することができ、窓Ｂａに近接した外方にある大気温度を都合よく下げることができる。
【００２６】
また、前記構成に係る窓構造Ａにあって、前記水管１０が、雨樋３０に受けられた雨水を受け入れ得るようにしてあると共に、当該水管１０で受け入れられずに貯水槽３９に蓄えられた雨水を揚水して受け入れ得るようにした窓構造Ａでは、雨水を効率よく利用することができる。エネルギー消費を更に下げることができる。
【００２７】
ついで、図示例に係る窓構造Ａを具体的に説明する。
【００２８】
この図示例に係る窓構造Ａは、建築物Ｂにおける窓Ｂａの外方に、当該窓Ｂａに近接して貯水可能に水管１０を配設してあり、しかも、この水管１０を、当該水管１０内の水が、当該水管１０の外面側に滲み出す水管１０として構成し、この水管１０から滲みだす水の気化潜熱を用いて当該水管１０周辺の温度を下げ、窓Ｂａ周辺に低温域の外気環境を作り出すと共に、窓Ｂａを介して当該低温域にある外気による室内の自然換気をなし得るようにしてある。
【００２９】
この図示例にあっては、当該窓構造Ａが最も理解されやすい一般の戸建て住宅に前記水管１０を配設した状態を示している。
【００３０】
この図示例に係る建築物Ｂは、玄関Ｂｂその他の住宅として用いるために必要とされる各構成を備えているものであって、外壁Ｗの開口に窓枠を納め入れて、各窓Ｂａを構成してあり、この外壁Ｗに備えられている窓Ｂａのうち、自然換気による涼風を取り入れたい箇所の窓Ｂａの外方に、当該水管１０を配設してある。
【００３１】
また、この水管１０は、当該水管１０に雨水等の水を必要量貯留し得る耐圧機能を備えたものとして用意されており、典型的には、微細な連続孔を内側面から外側面に連通するように備え、かつ、当該孔が、この水管１０の内側に貯水されている水を、例えば、毛細管現象による滲み出しのように、外面側に滲み出させる微細孔とされている各種管、例えば、当該条件を満たす多孔質セラミックス製管等で構成してある。
【００３２】
この図示例にあっては、建築物Ｂにおける一部の窓Ｂａ、この図示例にあっては、玄関Ｂｂから離れた側の、上下方向で同一面内にある一階部分と二階部分との窓Ｂａの外方に前記水管１０を配設するようにしたものであって、当該各窓Ｂａ、Ｂａの側方に縦向きに、軒下に上端部を固着するように、外壁Ｗに沿って一対の支柱２１、２１を、当該建築物Ｂの外方の地面に立設してあり、上側にある窓Ｂａよりも上方の位置で当該各支柱２１、２１を取付横桟２２で連結し、また、下側にある窓Ｂａよりも下方の位置で当該各支柱２１、２１を取付横桟２２で連結して水管１０の取り付け枠を構成してある。
【００３３】
このように構成される取り付け枠に取り付け用いられる水管１０は、この図示例にあっては、縦格子状体２０’及び横格子状体２０”としてあり、この縦格子状体２０’と横格子状体２０”とを、互いの面を向き合わせるように重ね合わせて井桁格子状体にして、前記支柱２１，２１塗取付横桟２２、２２で囲まれた空間内に納め入れ、当該縦格子状体２０’及び横格子状体２０”が窓Ｂａの外方位置で、内外に重ね合わせ状態に取付金具２３で一体的に組み付けられており、ほぼ、井桁格子状体をなすように配設されている。
【００３４】
この縦格子状体２０’は、横向きの上側水管１０ｂと下側水管１０ａとに縦向き水管１０ｃを連通状態に設けてあり、下側水管１０ａと上側水管１０ｂの各側端部を縦向き水管１０ｃ’で連通させることで、一連に連通状態の縦格子状体２０’としてある。
【００３５】
また、この横格子状体２０”は、縦向きの両側水管１０ｄ、１０ｄに横向き水管１０ｅを連通状態に設けてあり、この両側水管１０ｄ、１０ｄの上下端部を横向き水管１０ｅ’で連通させることで、一連に連通状態の横格子状体２０”としてある。
【００３６】
そして、この図示例に係る水管１０にあっては、前記縦格子状体２０’の上側水管１０ｂと、横格子状体２０”の上側にある横向き水間１０ｅ’とを二股状管継ぎ手３４で連通状態にしてあり、また、前記縦格子状体２０’の下側水管１０ａと、横格子状体２０”の下側にある横向き水間１０ｅ’とを二股状管継ぎ手３５で連通状態としてあって、これらが、一連に連通状態とされている井桁格子状体を構成するようにしてある。
【００３７】
なお、この縦格子状態２０’及び横格子状体２０”は、適宜、複数箇所において取付金物２３によって、前記支柱２１、２１取付横桟２２、２２に囲まれている取り付け面内に納め入れられるように、取り付け維持される。
【００３８】
この格子状体２０における二股状管継ぎ手３４に竪樋３３が連通状態に接続してあり、建築物Ｂにおける雨樋３０の集水桝３１から、呼び樋３２を介して雨水を当該格子状体２０に取水案内するようにしてある。また、下側にある二股状管継ぎ手３５に、この格子状体２０の水を貯水槽３９に案内する案内管３７を連通状態に接続してあり、この案内管３７に備えられている水栓３６で、当該格子状体２０における貯水状態を調整、管理しうるようにしてある。
【００３９】
すなわち、この格子状体２０の下方に備えられている水栓３６を閉じて、当該格子状体２０を貯水可能状態にして、これに雨水等を貯水して用い、また、当該水管１０から貯水の排出を必要とされる場合や、当該水管１０に貯水を必要としない際には、この水栓３６を開いて、貯水を貯水槽３９に流下させ、あるいは、雨水等を貯水させずに貯水槽３９に流下させる。
【００４０】
また、この図示例にあっては、貯水槽３９に揚水手段としてポンプ４０が備えてあり、水管１０の外側面に滲みだすことで漸次減少する格子状体２０の貯水を、この貯水槽３９からポンプ４０を用いて揚水管３８で、前記二股状管継ぎ手３４より上方にある竪樋３３に供給し得るようにしてある。
【００４１】
また、この図示例にあっては、この揚水管３８の接続位置よりも上方にある竪樋３３にオーバーフロー管４１を接続してあり、このオーバーフロー管４１を、いったん、上方に屈曲させた後、下方に向けて屈曲させて、前記貯水槽３９にオーバーフローした雨水を案内するようにしてある。
【００４２】
また、この図示例にあっては、前記貯水槽３９が溢れることのないように、当該貯水槽３９の溢水ライン位置に溢水用パイプ４３を開口させるように接続してあり、この溢水パイプ４３で必要外の貯留水を排水溝４２に逃がすようにしてある。
【００４３】
このように構成される窓構造Ａでは、窓Ｂａに近接して、貯水された水管１０は配設されており、この窓Ｂａの外方における空気は、当該水管１０から滲みだされる水の気化潜熱で効率よく下げられ、低い温度の外気域を作り出すことででき、窓Ｂａ部からの照り返し熱等を消失させ、涼風を天然換気状態で室内側に取り込むことができ、快適な建物内空間を、別段に人為的な冷媒を作成用意することなく構成することができる。
【図面の簡単な説明】
【００４４】
【図１】典型的な窓構造を備える建築物の正面図
【図２】同要部縦断面図
【図３】同要部拡大縦断面図
【図４】同主要部品の分離斜視図
【図５】同要部部品の背面図
【図６】同水管の要部拡大斜視図
【符号の説明】
【００４５】
Ａ  窓構造
Ｂ  建築物
Ｂａ  窓
１０  水管
２０  格子状体
【図１】
2008202280.tif 000003
【図２】
2008202280.tif 000004
【図３】
2008202280.tif 000005
【図４】
2008202280.tif 000006
【図５】
2008202280.tif 000007
【図６】
2008202280.tif 000008